(57)【特許請求の範囲】
【請求項１】
障子を取付けるための枠体を構成する枠部材を具備する開口部装置であって、
前記枠部材は、外枠と、前記外枠の見込み方向における室内側内周に、前記外枠との間で空間部を形成するように設けられる内枠とを備えており、
前記外枠の室外側内周には、外枠から室内側に屈曲された第一張出し部と、前記第一張出し部に対応して設けられる第二張出し部と、を備え、
前記第一張出し部と第二張出し部との間に前記枠部材の長手方向に設けられる長尺板材としての固定部材が設けられ、
前記固定部材は、前記第一張出し部に固定具により取付けられていることを特徴とする開口部装置。
【請求項２】
前記固定部材が、前記第二張出し部に係合している請求項１に記載の開口部装置。
【請求項３】
前記第一張出し部及び第二張出し部が、前記室内側内周側に設けられる内枠よりも外枠側に設けられる請求項１又は２に記載の開口部装置。
【請求項４】
前記第一張出し部と前記外枠との間に形成される溝部分に、前記障子に当接可能なシール材とを具備する請求項１乃至３いずれか１項に記載の開口部装置。
【請求項５】
前記障子は、前記固定部材に設けた支持部に装着可能な蝶番部を備える請求項１乃至４いずれか１項に記載の開口部装置。
【請求項６】
前記内枠の室外側端部には、溝が形成されており、該溝に網戸枠が着脱可能に取付けられる請求項１乃至５いずれか１項に記載の開口部装置。
【発明の詳細な説明】
【技術分野】
【０００１】
本発明は、住宅、公共施設、商業施設、ビル等の建物の開口部に好適に設けられる開口部装置に関し、特に、ガラスパネルなどを備える障子が取り付けられる枠体を構成する枠部材の構成に関する。
【背景技術】
【０００２】
従来、ガラスパネルなどを備える障子を枠体に取り付けた構成とする開口部装置は周知となっている。この開口部装置において、特に、室内空間と室外空間を仕切る開口部装置においては、室外側の環境にさらされるため、その耐久性が重要とされており、この耐久性の向上により、耐用年数を長く確保できることが望まれている。
【０００３】
そして、障子が取り付けられる枠体は、例えば、４本の枠部材を方形に組み立てて枠状に構成されるものであり、各枠部材について剛性を確保することにより、耐久性を向上することが可能となることと考えられる。枠部材の構造については、例えば、特許文献１では、枠体に障子を回動可能に取り付けることにより突き出し窓を構成する技術において開示がされている（例えば、特許文献１参照。）。
【０００４】
さて、このような枠部材の剛性の確保に関連し、枠部材については、例えば、アルミニウム形材にて枠部材を構成する際には、押し出し成形時において、その断面を方形のホロー構造（ホロー形状）（内壁面に囲まれる空間が構成される）とし、壁面で囲まれた柱状体を構成とする手法が知られている（特許文献１の図５参照）。
【０００５】
このホロー構造に対し、単なる一枚の板面にて枠部材の壁面を構成する構造がソリッド構造（ソリッド形状）として知られている（特許文献１の図４、図７参照）。このソリッド構造は、例えば、図１１に示す構成とされるものである（特許文献１の図７に示される構成と類似）。この図１１は、縦枠を構成する枠部材９０の水平断面を示すものであり、枠部材９０は、ソリッド構造の外枠見込面構成部９１を具備し、該外枠見込面構成部９１に蝶番９２を介して、障子９３の框９４を吊設することとしている。蝶番９２の蝶番板９２ａは、受け金具９６との間に外枠見込面構成部９１を挟み込み、ビス９５・９５を受け金具９６に螺挿することによって、外枠見込面構成部９１に固定される。このような構成では、受け金具９６は、外枠見込面構成部９１の外側（枠体で囲まれる空間の外側）に配置され、ビス９５の先端９５ａが外側に現れることとなっている。
【特許文献１】特開２００６−２４９７３２号公報
【発明の開示】
【発明が解決しようとする課題】
【０００６】
以上に説明した従来技術において、予めホロー構造に成形された部材を、例えば、外枠の縦枠として使用する場合には、縦枠と上枠の接合部において、ホロー構造の開放を閉じるために、例えば、内側の壁面を切り欠くといった特別な端部構造が必要とされることになる。若しくは、別途キャップなどの閉塞部材を用意して、ホロー構造の開放を閉じる必要がある。このため、縦枠と上枠の接合部における構造が複雑となり、接合部での組み付けの手間や、組み付け精度を確保しにくいといった構造の課題や、また、加工費が嵩むなど、コスト面で不利となる課題が生じる。
【０００７】
また、図１１に示されるようなソリッド構造の場合には、十分な剛性が確保できず、経年後においては、このソリッド構造を左右の縦枠に適用した場合、左右の縦枠の中央が外側に広がる「タイコ（太鼓）形状への変形」や、左右の縦枠の中央が内側に狭まる「ツヅミ（鼓）形状への変形」といった不具合の発生が懸念される。そして、障子と外枠との間のシーリングにおける気密性、外枠と外壁パネルや室内壁との間のシーリングにおける気密性の長期間の確保が困難となる。また、外枠の変形が進行すると、シーリングの部位に隙間が形成されて美感が悪化し、加えて、シーリングの裏側に存在する裏板や金具類が外側から見えてしまうと美感がさらに悪化することになる。
【０００８】
また、図１１に示す構成のように、ビス９５の先端９５ａや受け金具９６が外枠見込面構成部９１の外側（枠体で囲まれる空間の外側）に現れてしまうと、外枠単体での外観の意匠性が悪化することになる。また、開口部装置の施工時においては、外枠見込面構成部９１に外壁パネルの端面を対向させ、両者の隙間をシーリングする必要が生じるが、外枠見込面構成部９１の外側表面にビス９５の先端９５ａや受け金具９６といった突起物が存在することになるため、この突起物に起因するシーリング不良、例えば、シーリング材と突起物の干渉による隙間形成、気密性低下、さらには、美観の低下といった問題が生じることになる。
【０００９】
そこで、本発明は、以上の問題に鑑み、優れた剛性を呈し、外壁等との関係での美感やシーリングの性能を長期間確保することを可能とする新規な枠部材の構成を提案するものである。
【課題を解決するための手段】
【００１０】
本発明の解決しようとする課題は以上の如くであり、次にこの課題を解決するための手段を説明する。
【００１１】
即ち、請求項１に記載のごとく、
障子を取付けるための枠体を構成する枠部材を具備する開口部装置であって、
前記枠部材は、外枠と、前記外枠の見込み方向における室内側内周に、前記外枠との間で空間部を形成するように設けられる内枠とを備えており、
前記外枠の室外側内周には、外枠から室内側に屈曲された第一張出し部と、前記第一張出し部に対応して設けられる第二張出し部と、を備え、
前記第一張出し部と第二張出し部との間に前記枠部材の長手方向に設けられる長尺板材としての固定部材が設けられ、
前記固定部材は、前記第一張出し部に固定具により取付けられていることを特徴とする開口部装置とする。
【００１２】
また、請求項２に記載のごとく、
前記固定部材が、前記第二張出し部に係合している請求項１に記載の開口部装置とする。
【００１３】
また、請求項３に記載のごとく、
前記第一張出し部及び第二張出し部が、前記室内側内周側に設けられる内枠よりも外枠側に設けられる請求項１又は２に記載の開口部装置とする。
【００１４】
また、請求項４に記載のごとく、
前記第一張出し部と前記外枠との間に形成される溝部分に、前記障子に当接可能なシール材とを具備する請求項１乃至３いずれか１項に記載の開口部装置とする。
【００１５】
また、請求項５に記載のごとく、
前記障子は、前記固定部材に設けた支持部に装着可能な蝶番部を備える請求項１乃至４いずれか１項に記載の開口部装置とする。
【００１６】
また、請求項６に記載のごとく、
前記内枠の室外側端部には、溝が形成されており、該溝に網戸枠が着脱可能に取付けられる請求項１乃至５いずれか１項に記載の開口部装置とする。
【発明の効果】
【００１７】
本発明の効果として、以下に示すような効果を奏する。
【００１８】
即ち、請求項１に記載の発明においては、枠部材と固定部材によって、空間を有するホロー構造が形成され、枠部材の剛性を向上させることができる。
【００１９】
また、請求項２に記載の発明においては、枠部材の長手方向の広い範囲において固定部材による補強が可能となり、優れた剛性を有する枠部材を実現することができる。
【００２０】
また、請求項３に記載の発明においては、前記固定部材の枠部材に対する固定具が、枠部材の見込面に現れることがなく、美感や外壁パネルとのシーリングを良好なものとすることができる。
【００２１】
また、請求項４に記載の発明においては、前記構成部材の前記固定部材に対する固定具が、枠部材の見込面に現れることがなく、美感や外壁パネルとのシーリングを良好なものとすることができる。
【００２２】
また、請求項５に記載の発明においては、蝶番を省略することが可能となる。
【００２３】
また、請求項６に記載の発明においては、剛性に優れた枠部材を具備することで、耐久性に優れた耐用年数を長く確保できる開口部装置を実現できる。
【発明を実施するための最良の形態】
【００２４】
次に、発明の実施の形態を説明する。
図１は、本実施形態にかかる開口部装置１を備える建物１００の外観を示す正面図である。建物１００は、１階部分及び２階部分からなり、各階に開口部を有している。開口部には、１階部分においては玄関２や窓３が備えられ、２階部分にも窓４が備えられる。２階部分には、開口部装置１が取り付けられ、小さめのスクエア窓（正方形）が構成される。この開口部装置１の形態は、換気を主目的としたいわゆる片開き窓又は突き出し窓とされている。
【００２５】
また、図１に示すごとく、開口部装置１は比較的小さなスクエア窓に好適に使用されるが、この他、長方形のスリット窓、ひし形の菱形窓、ガラスブロック窓、台形窓、アーチ窓などの、あらゆる種類の窓に適用が可能である。また、建物の種類も住宅に限定されず、公共施設やオフィスビルなどの大型建物にも適用できる。
【００２６】
図２は、本実施形態にかかる開口部装置１を室内側から見た正面斜視図である。開口部装置１は、建物開口部に固定される方形の枠体１０Ｗを構成する枠部材１０と、該枠部材１０内に開閉可能に取り付けられる障子２０とを有している。障子２０は、ガラスパネル２１と、該ガラスパネル２１の周りを取り囲む框２２を備えている。
【００２７】
また、図３（ａ）に示すごとく、開口部装置１を室内側から見ると、主に、室内壁１００Ａ、ガラスパネル２１、枠部材１０の内枠１１の表面部１１Ａのみが見えるようになっており、框２２や外枠１２などの殆どの他の部位は、室内壁１００Ａによって隠されて、室内側から見えないようになっている。
【００２８】
また、図３（ｂ）に示すごとく、開口部装置１を室外側から見ると、外壁１００Ｂ、ガラスパネル２１、及び、框２２のみが見えるようになっている。前記枠体１０Ｗは、框２２によって隠されるようになっている。
【００２９】
以上のような開口部装置１の構成により、ガラスパネル２１と室内壁１００Ａの間には部材が殆ど見えず、また、ガラスパネル２１と外壁１００Ｂの間には框２２のみが見えるようになり、シンプルで開放的な印象を与えることができる。なお、本実施形態においては、框２２が室外側に配置されることで、框２２が室外から見え、室内からは見えないようになっているが、反対に、框２２を室内側に配置することで、框２２が室外から見えず、室内からは見えるように構成することも可能である。
【００３０】
また、図４は、開口部装置１の高さ方向中心付近における水平断面図である。開口部装置１の紙面上方が室外側、紙面下方が室内側である。図４には、左縦枠、右縦枠をそれぞれ構成する枠部材１０、１０、該枠部材１０、１０に沿って配置される左右の框２２、２２、及び、該框２２にて取り囲まれるガラスパネル２１が表れている。また、ガラスパネル２１及び框２２にて障子２０が構成されており、この障子２０は、操作ハンドル２３により、蝶番機構３０を回動中心として室外側に回動される構成となっている。
【００３１】
また、図５は、開口部装置１の左右方向中心付近における縦断面図である。開口部装置１の紙面左方が室外側、紙面右方が室内側である。図５には、上枠、下枠をそれぞれ構成する枠部材１０、１０、該枠部材１０、１０に沿って配置される上下の框２２、２２、及び、該框２２にて取り囲まれるガラスパネル２１が表れている。また、ガラスパネル２１及び框２２にて障子２０が構成されており、この障子２０は、図６に示すごとく、操作ハンドル２３の操作によって室外側に突き出される構成となっている。
【００３２】
次に、枠部材１０の構成について説明する。
図７は、図４の点線Ａで囲んだ拡大図であり、片開き窓に構成される障子の吊元の構成を示している。この構成において、開口部装置１の枠体１０Ｗを構成する枠部材１０は、その内側面において枠体１０Ｗの内周面を構成する内枠１１と、その外周面にて枠体１０Ｗの外周面（見込面）を構成する外枠１２と、を具備して構成される。この枠部材１０は、図２に示すごとく、方形の枠体１０Ｗを構成するものである。
【００３３】
また、図７に示すごとく、前記内枠１１は、板状の部材であり、枠体１０Ｗの内周面を形成する内側面１１ｂを構成する内壁面構成部１１ａを有している。
【００３４】
また、図７に示すごとく、内枠１１において、前記内壁面構成部１１ａの室外側端部には、断面視において凹状の溝１１ｃを構成する溝構成部１１ｍが構成されており、溝構成部１１ｍに網戸枠１４が挿入されるようになっている。また、内枠１１において、前記内壁面構成部１１ａの室内側端部においては、外側（枠体１０Ｗで囲まれる空間の外側）方向に突出される内枠室内側張出し部１１ｆが設けられている。また、前記溝構成部１１ｍにおいても、外側方向に突出される内枠室外側張出し部１１ｇが設けられている。
【００３５】
また、図７に示すごとく、前記内枠１１は、前記外枠１２に取り付けられる。該外枠１２は、外枠見込面構成部１２ａを有しており、該外枠見込面構成部１２ａにて枠体１０Ｗの外周面が構成されることとしている。
【００３６】
また、図７に示すごとく、外枠１２において、前記外枠見込面構成部１２ａの見込方向の略中央部において、内側（枠体１０Ｗで囲まれる空間の内側）方向に突出される外枠室外側張出し部１２ｇが設けられている。また、外枠１２の室内側端部においては、内側（枠体１０Ｗで囲まれる空間の内側）方向に突出される外枠室内側張出し部１２ｆが設けられている。
【００３７】
また、図７に示すごとく、外枠１２において、外枠見込面構成部１２ａ、外枠室外側張出し部１２ｇ、外枠室内側張出し部１２ｆによって、図において上方が開放される略「コ」字状の断面が構成される。そして、この略「コ」字状の断面の開放が、前記内枠１１の内壁面構成部１１ａによって閉塞されることで、枠部材１０に空間部１０Ｎが構成されるようになっている。尚、内枠１１の内枠室内側張出し部１１ｆと外枠１２の外枠室内側張出し部１２ｆ、内枠１１の内枠室外側張出し部１１ｇと外枠１２の外枠室外側張出し部１２ｇ、がそれぞれ係合することにより、空間部１０Ｎが構成されるようになっている。
【００３８】
また、図７に示すごとく、前記内枠１１は、外枠１２、即ち、外枠見込面構成部１２ａ、外枠室外側張出し部１２ｇ、外枠室内側張出し部１２ｆよりも、断熱性の優れた素材にて構成されることとしている。例えば、外枠見込面構成部１２ａ、外枠室外側張出し部１２ｇ、外枠室内側張出し部１２ｆがアルミ形材によって構成される場合では、内枠１１を樹脂形材によって構成することで、内枠１１についての断熱性を優れたものとすることができる。また、この断熱性の向上によって、内枠１１の内側（枠体１０Ｗで囲まれる空間の内側）での結露が防止され、優れた防露性能を発揮することが可能となる。
【００３９】
また、図７に示すごとく、枠部材１０において、その見込方向における略中央部Ｃに構成される外枠室外側張出し部１２ｇの室外側に、室外に開放される障子収容部１０Ｍが形成される。この障子収容部１０Ｍにおいては、障子２０の吊元が構成されるものとしている。
【００４０】
また、図７及び図８に示すごとく、枠部材１０の障子収容部１０Ｍは、外枠見込面構成部１２ａ及び外枠室外側張出し部１２ｇによって、その壁面が構成される。また、前記外枠見込面構成部１２ａにおいては、室外側の端部において、内側（枠体１０Ｗで囲まれる空間の内側）方向に屈設した後、更に、室内側へと屈曲される吊元側第一張出し部１２ｍが設けられている。また、前記外枠室外側張出し部１２ｇにおいては、前記吊元側第一張出し部１２ｍに向かって吊元側第二張出し部１２ｈが設けられている。そして、障子収容部１０Ｍの内側において、吊元側第一張出し部１２ｍ及び吊元側第二張出し部１２ｈに対し、障子２０を回動自在に固定するための吊元側固定部材２４が固定されることとしている。
【００４１】
また、図７及び図８に示すごとく、この吊元側固定部材２４は、外枠１２と同様に縦方向に長い長尺の板状部材で構成される。また、吊元側固定部材２４は、その室外側端部の板面２４ａを吊元側第一張出し部１２ｍの内側部１２ｎに当着させるとともに、室内側の端部に設けた略「Ｖ」字状の係合溝部２４ｂにて吊元側第二張出し部１２ｈを挟み込んだ状態とし、固定具としてのビス３１によって外枠見込面構成部１２ａに対して固定される。
【００４２】
また、図８に示すごとく、吊元側固定部材２４の室外側の端部には、略「Ｃ」字状の筒状部２４ｃが設けられ、この筒状部２４ｃに対し、框２２側に固定される蝶番板部２２ｍに設けられた略「Ｃ」字状の筒状部２２ｃを、図７に示すごとく、水平断面視において重ね合わせて互いの筒穴を連通させるとともに、該筒穴に回動ピン等が挿入されることで、吊元側固定部材２４に対し框２２が回動自在に固定されるようになっている。これにより、障子２０が全体として、枠部材１０に対して回動自在に設けられ、片開き窓が構成されることとなっている。また、以上の構成により、吊元側固定部材２４が障子２０（框２２）を支持するための支持部（筒状部２４ｃ）を有するため、蝶番を省略することが可能となる。尚、吊元側固定部材２４については、このような回動式の障子２０のための蝶番の一部として機能すべく構成される他、すべり出し窓等の他の開閉式の障子について、その開閉機構の構成部材の固定部として機能すべく構成されることもできる。
【００４３】
また、図７に示すごとく、吊元側固定部材２４が外枠１２に固定された状態では、吊元側固定部材２４と外枠見込面構成部１２ａによって、水平断面視において、方形のホロー構造（ホロー形状）の部材（内壁面に囲まれる空間が構成されている部材）が構成される。ここで、このようなホロー構造に対して、吊元側固定部材２４が存在しない場合の外枠見込面構成部１２ａは、一つの縦壁面を形成するソリッド構造の部材を構成することになる。このホロー構造とソリッド構造について、ホロー構造は、四つの縦壁面と四つの角部を有する柱構造を構成するため、各縦壁面が互いに補強し合うことによって剛性を高く確保できることになるが、ソリッド構造は、一つの縦壁面のみで単なる壁構造を構成するため、剛性がホロー構造と比較して劣ることになる。
【００４４】
この点、本実施形態では、ホロー構造の部材が実現されることにより、より剛性の高い枠部材１０を実現することができる。換言すれば、吊元側固定部材２４による外枠１２の補強が可能となる。そして、本実施形態では、縦枠を構成する外枠１２の補強が図られるものであり、これにより、経年後においても、左右の縦枠の中央が外側に広がる「タイコ（太鼓）形状への変形」や、左右の縦枠の中央が内側に狭まる「ツヅミ（鼓）形状への変形」といった不具合の発生が防止され、ひいては、障子と外枠との間の気密性の長期間の確保や、また、外枠と外壁パネルや室内壁との間のシーリングにおける気密性の長期間の確保が可能となる。また、外枠の変形が抑制されてシーリングが確保されることにより、シーリングの部位における隙間形成が抑制され、シーリングの裏側に存在する裏板や金具類が外側から見えることもなくなって、美感を確保することができる。このように、本実施形態によれば、剛性の確保により耐久性に優れることになり、長期間において優れた気密性能、断熱性能、及び、美感を発揮できる開口部装置を実現することが可能となる。
【００４５】
さらに、図７に示すごとく、本実施形態では、吊元側固定部材２４が外枠１２（縦枠）の組み合わせによって、ホロー構造が構成される点に特徴がある。即ち、予めホロー構造に成形された部材を外枠の縦枠として使用する場合には、例えば、縦枠と上枠の接合部において、ホロー構造の開放を閉じるために、例えば、内側の壁面を切り欠くといった特別な端部構造が必要とされることになる。若しくは、別途キャップなどの閉塞部材を用意して、ホロー構造の開放を閉じる必要がある。この点、本実施形態の構成では、縦枠（外枠１２）の内側に吊元側固定部材２４を後付で固定することでホロー構造が実現されるので、例えば、縦枠と上枠の接合部において、特別な端部加工や閉塞部材を必要とすることがない。これにより、例えば、縦枠と上枠の接合部における構造の簡素化が図られ、ひいては、コスト削減を図ることが可能となる。
【００４６】
また、図７に示すごとく、吊元側固定部材２４の外枠１２に対する固定方法について、外枠見込面構成部１２ａの内側（枠体１０Ｗで囲まれる空間の内側）に吊元側第一張出し部１２ｍを突設し、この吊元側第一張出し部１２ｍに対して吊元側固定部材２４を固定具としてのビス３１にて固定する形態とし、ビス３１の先端部３１ａは、吊元側第一張出し部１２ｍと吊元側固定部材２４の間の空間２６内に配置されることとしている。これにより、ビス３１の先端部３１ａが、外枠見込面構成部１２ａの外側（枠体１０Ｗで囲まれる空間の外側）に現れることがなく、外枠単体での外観の意匠性を向上することができる。また、開口部装置の施工時においては、外枠見込面構成部１２ａに外壁パネルの端面を対向させ、両者の隙間をシーリングする必要が生じるが、本実施形態の構成では、外枠見込面構成部１２ａの外側表面に突起物が存在しないため、突起物に起因するシーリング不良、例えば、シーリング材と突起物の干渉による隙間形成、気密性低下、さらには、美観の低下といった問題が生じることがない。このように、本実施形態によれば、シーリングに関連して、様々な有効な効果を得ることができる。
【００４７】
以上が、開口部装置における吊元の箇所の構成であり、次に、戸先の箇所の構成について説明する。
図９は、図４の点線Ｂで囲んだ拡大図であり、片開き窓に構成される障子の戸先の構成を示している。この構成において、開口部装置１の枠部材１０は、その内側面において枠部材１０の内周面を構成する内枠１１と、その外周面にて枠部材１０の外周面（見込面）を構成する外枠１２と、を具備して構成される。この枠部材１０は、図２に示すごとく、方形の枠体を構成するものである。
【００４８】
また、図７及び図８を参照して理解されるように、この図９における枠部材１０の基本構成は、図７の枠部材１０における基本構成と略同一であり、同一の符号が付される部材は、同一の機能を呈し、同一の名称にて定義され、説明は省略するものとする。
【００４９】
また、図９に示すごとく、枠部材１０において、その見込方向における略中央部Ｃに構成される外枠室外側張出し部１２ｇの室外側に、室外に開放される障子収容部１０Ｍが形成される。この障子収容部１０Ｍにおいては、障子２０の戸先側が収容されるものとしている。
【００５０】
また、図９に示すごとく、枠部材１０の障子収容部１０Ｍは、外枠見込面構成部１２ａ及び外枠室外側張出し部１２ｇによって、その壁面が構成される。また、図９及び図１０に示すごとく、外枠見込面構成部１２ａにおいては、室外側の端部において、内側（枠体１０Ｗで囲まれる空間の内側）方向に屈設した後、更に、室内側へと屈曲される戸先側第一張出し部１２ｊが設けられている。また、外枠室外側張出し部１２ｇにおいては、戸先側第一張出し部１２ｊに向かって戸先側第二張出し部１２ｋが設けられている。そして、障子収容部１０Ｍの内側において、戸先側第一張出し部１２ｊ及び戸先側第二張出し部１２ｋに対し、戸先側固定部材２５が固定されることとしている。
【００５１】
また、図９及び図１０に示すごとく、戸先側固定部材２５は、外枠１２と同様に縦方向に長い長尺の板状部材で構成される。また、戸先側固定部材２５は、その室外側端部の板面２５ａを戸先側第一張出し部１２ｊの内側部１２ｐに当着させるとともに、室内側の端部に設けた係合凸部２５ｂを戸先側第二張出し部１２ｋに当着させた状態とし、固定具としてのビス３２によって外枠見込面構成部１２ａに対して固定される。ここで、ビス３２の先端部３２ａは、戸先側第一張出し部１２ｊと戸先側固定部材２５の間の空間２８内に配置されることとしている。これにより、ビス３２の先端部３２ａが、外枠見込面構成部１２ａの外側（枠体１０Ｗで囲まれる空間の外側）に現れることがなく、外観の意匠性を向上することができる。
【００５２】
また、このように戸先側におけるビス３２の先端部３２ａの配置に関し、図７に示される吊元側のビス３１の先端部３１ａの配置により奏されるものと同等の効果が得られることになる。また、戸先側固定部材２５と外枠見込面構成部１２ａによって、吊元側の吊元側固定部材２４と外枠見込面構成部１２ａによるものと同様のホロー構造が実現され、戸先側において吊元側と同等の効果が得られることになる。
【００５３】
また、図１０に示すごとく、戸先側第一張出し部１２ｊの室外側の端部には、略「コ」字状の溝状部１２ｑが設けられ、図９に示すごとく、この溝状部１２ｑにシール枠１２ｒが設けられ、このシール枠１２ｒに対して障子２０の戸先端部２０ｄが当接されることとしている。
【００５４】
また、図９及び図１０に示すごとく、戸先側固定部材２５には、障子を開閉動作させるための操作ハンドル２３を取り付けるためのステー２７が固定される。このステー２７は、図６に示すごとく、戸先側固定部材２５の縦方向の略中央部に設けられ、ガイドピン２９によって開閉機構４０のアーム部材４１をガイドすべく構成されるものである。
【００５５】
また、図６、図９及び図１０に示すごとく、戸先側固定部材２５には、障子２０のスライドロック機構５０のスライドバー５１に設けたロックピン５２（係合部）と係合するための受け金具５３が固定される。この受け金具５３は、図６に示すごとく、外枠１２（縦枠）の縦方向の上下二箇所に設けられ、アーム部材４１を介して操作ハンドル２３の操作に連動し、上下方向に移動するスライドバー５１のロックピン５２と係合すべく構成されている。
【００５６】
そして、図６、図９及び図１０に示すごとく、戸先側固定部材２５に対し、ステー２７及び受け金具５３が固定される。ステー２７については、固定具としてのビス３３によって、同じく、受け金具５３については固定具としてのビス３４によって、それぞれ、戸先側固定部材２５に対して固定される。そして、図９に示すごとく、ビス３３・３４の先端部３３ａ・３４ａは、それぞれ、戸先側固定部材２５と外枠見込面構成部１２ａの間に形成される、空間２８内に配置されることとしている。これにより、ビス３２の先端部３２ａが、外枠見込面構成部１２ａの外側（枠体１０Ｗで囲まれる空間の外側）に現れることがなく、外観の意匠性を向上することができる。
【００５７】
また、このように戸先側におけるビス３３・３４の先端部３３ａ・３４ａの配置に関し、図７に示される吊元側のビス３１の先端部３１ａの配置により奏されるものと同等の効果が得られることになる。
【００５８】
以上の実施形態では、枠部材１０のうち、左右縦枠を構成するものについての適用であって、吊元側固定部材の戸先側固定部材について説明したが、これらの固定部材を上枠、下枠に適用することによって、補強等の効果を得ることも可能となる。
【００５９】
即ち、以上の構成では、図７に示す吊元の箇所の構成を参照して説明すれば、障子２０を取り付けるための枠体１０Ｗを構成する枠部材１０であって、前記枠部材１０の見込面構成部（外枠見込面構成部１２ａ）の内側に、開口部装置の構成部材を取り付けるための固定部材（吊元側固定部材２４）を具備し、前記枠部材１０の見込面構成部と前記固定部材との間に空間２６を確保することとするものである。
【００６０】
この構成によって、枠部材１０の見込面構成部（外枠見込面構成部１２ａ）と、固定部材（吊元側固定部材２４）によって、空間２６を有するホロー構造が形成され、枠部材１０の剛性を向上させることができる。
【００６１】
また、図６に示す吊元の箇所の構成を参照して説明すれば、前記固定部材（戸先側固定部材２５）は、前記枠部材１０の見込面構成部（外枠見込面構成部１２ａ）の長手方向に並設される長尺部材であることとするものである。
【００６２】
この構成によって、枠部材１０の長手方向の広い範囲において固定部材（戸先側固定部材２５）による補強が可能となり、優れた剛性を有する枠部材１０を実現することができる。
【００６３】
また、図７に示す吊元の箇所の構成を参照して説明すれば、前記固定部材（吊元側固定部材２４）は、前記空間２６の中にその一部（先端部３１ａ）が配置され、且つ、前記枠部材１０の見込面構成部（外枠見込面構成部１２ａ）よりも内側（枠部材１０の内側）に配置される固定具（ビス３１）によって、前記枠部材１０の見込面構成部（外枠見込面構成部１２ａ）に対して固定されることとするものである。
【００６４】
この構成によって、前記固定部材（吊元側固定部材２４）の枠部材１０の見込面構成部（外枠見込面構成部１２ａ）に対する固定具（ビス３１）が、枠部材１０の見込面に現れることがなく、美感や外壁パネルとのシーリングを良好なものとすることができる。尚、上記の実施形態では、例えば、図７の構成では、ビス３１の先端部３１ａを空間２６内に突き出すようにする固定の形態としたが、この形態に限らず、例えば、吊元側第一張出し部１２ｍの内側部１２ｎから吊元側固定部材２４側にネジ山を刻設したピンを突設し、該ピンを吊元側固定部材２４に対して貫装するとともに、ナットを締結する、といった形態であってもよい。
【００６５】
また、図９に示す戸先の箇所の構成を参照して説明すれば、前記構成部材（受け金具５３、ステー２７）は、前記空間２８の中にその一部（先端部３３ａ・３４ａ）が配置され、且つ、前記枠部材１０の見込面構成部（外枠見込面構成部１２ａ）よりも内側（枠部材１０の内側）に配置される固定具（ビス３３・３４）によって、前記固定部材（戸先側固定部材２５）に対して固定されることとするものである。
【００６６】
この構成によって、前記構成部材（受け金具５３、ステー２７）の前記固定部材（戸先側固定部材２５）に対する固定具（ビス３３・３４）が、枠部材１０の見込面に現れることがなく、美感や外壁パネルとのシーリングを良好なものとすることができる。尚、前記構成部材は、受け金具５３、ステー２７以外のものであってもよい。また、尚、上記の実施形態では、例えば、図９の構成では、ビス３４の先端部３４ａを空間２８内に突き出すようにする固定の形態としたが、この形態に限らず、例えば、戸先側固定部材２５から受け金具５３側にネジ山を刻設したピンを突設し、該ピンを受け金具５３に対して貫装するとともに、ナットを締結する、といった形態であってもよい。
【００６７】
そして、以上の構成により、方形を構成する枠体の全ての枠の部位、即ち、上枠、下枠、左右縦枠を構成する枠部材について、それぞれ剛性の向上を図ることができ、それに伴って優れた効果を発揮することが可能となる。
また、実施形態の一つとして、
図７の例を参照すると、障子２０を取付けるための枠体１０Ｗを構成する枠部材１０を具備する開口部装置であって、枠部材１０は、外枠２０と、外枠２０の見込み方向における室内側内周に、外枠２０との間で空間部１０を形成するように設けられる内枠１１とを備えており、外枠１０の室外側内周には、外枠１０から室内側に屈曲された第一張出し部（吊元側第一張出し部１２ｍ）と、第一張出し部に対応して設けられる第二張出し部（吊元側第二張出し部１２ｈ）と、を備え、第一張出し部と第二張出し部との間に枠部材１０の長手方向に設けられる長尺板材としての固定部材（吊元側固定部材２４）が設けられ  固定部材は、第一張出し部に固定具により取付けられている構成とする。
また、固定部材（吊元側固定部材２４）が、第二張出し部（吊元側第二張出し部１２ｈ）に係合している構成とする。
また、第一張出し部（吊元側第一張出し部１２ｍ）及び第二張出し部（吊元側固定部材２４）が、室内側内周側に設けられる内枠よりも外枠側に設けられる構成とする。
また、第一張出し部（吊元側第一張出し部１２ｍ）と外枠２０との間に形成される溝部分に、障子２０に当接可能なシール材Ｋを具備する構成とする。
また、障子２０は、固定部材（吊元側固定部材２４）に設けた支持部（筒状部２４ｃ）に装着可能な蝶番部（蝶番板部２２ｍ）を備える構成とする。
また、内枠１１の室外側端部には、溝１１ｃが形成されており、溝１１ｃに網戸枠１４が着脱可能に取付けられる構成とする。
【００６８】
以上が本発明の実施形態の説明である。尚、以上の実施形態に使用される枠体及び框の材質は、通常の開口部装置に利用されるあらゆる材質が使用可能である。その中でもアルミニウムが特に好ましい材料である。また、パネル部材としては、ガラスパネルに代えて通常の開口部装置に利用されるあらゆる材質が使用可能である。例えば採光の観点から考えるとアクリル樹脂パネル、ポリカーボネートパネルを使用することができる。また、ロック機構やシール材等、その他通常の開口部装置が備える部材は本発明の開口部装置にも使用することができる。
【００６９】
また、以上のように、本発明の開口部装置は多くの種類の建物の開口部に適用が可能であり、各実施態様においてその効果を十分に発揮することができる。例えば、障子の開閉しない、所謂、ＦＩＸ窓についても、本発明の構成は適用できるものである。
【００７０】
以上、現時点において、もっとも、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う建物の開口部装置もまた本発明の技術的範囲に包含されるものとして理解されなければならない。
【産業上の利用可能性】
【００７１】
本発明は、突き出し窓、片開き窓、ＦＩＸ窓、更には、引き違い窓も含め、あらゆる形態の開口部装置の枠体について幅広く適用可能である。また、枠体の形状についても、スクエア、サークル、台形、アーチなど、各種の枠形状について適用することが可能となる。
【図面の簡単な説明】
【００７２】
【図１】本発明の実施形態に係る開口部装置を備えた建物の例について示す図。
【図２】本発明の実施形態に係る開口部装置の室内側から見た斜視図。
【図３】（ａ）は、本発明の実施形態に係る開口部装置の室内側から見た正面図。（ｂ）は、本発明の実施形態に係る開口部装置の室外側から見た正面図。
【図４】本発明の実施形態に係る開口部装置の水平断面図。
【図５】本発明の実施形態に係る開口部装置の側面断面図。
【図６】同じく障子を開いた状態における開口部装置の側面断面図。
【図７】図４の点線Ａで囲んだ範囲の拡大図。
【図８】吊元側の吊元側固定部材の固定等について示す水平断面図。
【図９】図４の点線Ｂで囲んだ範囲の拡大図。
【図１０】戸先側の戸先側固定部材の固定等について示す水平断面図。
【図１１】従来のソリッド構造の枠体、及び、蝶番の取付構造について示す水平断面図。
【符号の説明】
【００７３】
１    開口部装置
１０    枠部材
１０Ｗ  枠体
１０Ｍ    障子収容部
１０Ｎ    空間部
１１    内枠
１２    外枠
１２ａ    外枠見込面構成部
２０    障子
２４    吊元側固定部材
２５    戸先側固定部材
【図１】
0005288439.tif 000002
【図２】
0005288439.tif 000003
【図３】
0005288439.tif 000004
【図４】
0005288439.tif 000005
【図５】
0005288439.tif 000006
【図６】
0005288439.tif 000007
【図７】
0005288439.tif 000008
【図８】
0005288439.tif 000009
【図９】
0005288439.tif 000010
【図１０】
0005288439.tif 000011
【図１１】
0005288439.tif 000012